(57)【要約】【課題】  例えば、地上波デジタル放送の広帯域信号を増幅するフィードフォワード増幅器で、誤差増幅器に要求される特性を緩和する。【解決手段】  増幅対象となる信号を主増幅器２で増幅して当該増幅信号から歪信号を検出する歪検出部と、前記検出された歪信号を誤差増幅器１１で増幅して当該増幅歪信号を前記増幅信号から除去する歪除去部を有し、増幅対象となる信号の周波数帯域或いはそれより広い周波数帯域の信号成分を通過させて他の周波数帯域の信号成分を低減させる周波数特性を有するフィルタ手段２１を主増幅器の次段に備え、誤差増幅器としてフィルタ手段の通過周波数帯域に対応した周波数特性を有する増幅器を用いた。【選択図】  図１
2006279249.tif 000002
【特許請求の範囲】
【請求項１】
増幅対象となる信号を主増幅器で増幅して当該増幅信号から歪信号を検出する歪検出部と、前記検出された歪信号を誤差増幅器で増幅して当該増幅歪信号を前記増幅信号から除去する歪除去部を有したフィードフォワード増幅器において、
前記増幅対象となる信号の周波数帯域或いはそれより広い周波数帯域の信号成分を通過させて他の周波数帯域の信号成分を低減させる周波数特性を有するフィルタ手段を前記主増幅器の次段に備え、
前記誤差増幅器として、前記フィルタ手段の通過周波数帯域に対応した周波数特性を有する増幅器を用いた、
ことを特徴とするフィードフォワード増幅器。
【請求項２】
増幅対象となる信号を主増幅器で増幅して当該増幅信号から歪信号を検出する歪検出部と、前記検出された歪信号を誤差増幅器で増幅して当該増幅歪信号を前記増幅信号から除去する歪除去部を有したフィードフォワード増幅器において、
前記増幅対象となる信号の周波数帯域或いはそれより広い周波数帯域の信号成分を通過させて他の周波数帯域の信号成分を低減させる周波数特性を有するフィルタ手段を前記歪除去部の出力段に備え、
前記誤差増幅器として、前記フィルタ手段の通過周波数帯域に対応した周波数特性を有する増幅器を用いた、
ことを特徴とするフィードフォワード増幅器。
【請求項３】
請求項１又は請求項２に記載のフィードフォワード増幅器において、
当該フィードフォワード増幅器は、地上波デジタル放送の通信装置に設けられ、
前記増幅対象となる信号として、地上波デジタル放送で使用される４７０ＭＨｚに対応した１３チャンネルから５１８ＭＨｚに対応した２０チャンネルまでの８チャンネルのうちの２つ以上のチャンネルの信号を含む複数チャンネル信号が用いられ、
前記フィルタ手段は、４８ＭＨｚ以上の所定の通過周波数帯域を有するフィルタから構成された、
ことを特徴とするフィードフォワード増幅器。
【発明の詳細な説明】
【技術分野】
【０００１】
本発明は、例えば、地上波デジタル放送の広帯域信号を増幅するフィードフォワード増幅器に関し、特に、誤差増幅器に要求される特性を緩和したフィードフォワード増幅器に関する。
【背景技術】
【０００２】
例えば、地上波デジタル放送用に複数のチャンネル（ｃｈ）の信号を同時に増幅することが可能な広帯域増幅器であって高出力が必要なものには、広帯域及び高電力といった要求仕様の面から、フィードフォワード歪補償方式を使用することが適している。
図２には、フィードフォワード歪補償方式を使用して歪補償を行う増幅器（フィードフォワード増幅器）の構成例を示してある。
なお、図２では、後述する本発明の実施例に係る図１に示される処理部と概略的に同様なものについては同一の符号を付して示したが、本発明を限定する意図は全く無い。
【０００３】
入力端Ａ１に帯域のある信号を入力したとき、非線形な電力増幅回路である主増幅器２では、入力信号より広帯域な混変調歪が発生する。この場合、フィードフォワード増幅器では、誤差増幅器１１が混変調歪成分と同等な帯域まで平坦（フラット）な周波数特性を有していれば混変調歪を補償することができる。
しかしながら、入力信号が広帯域なほど、混変調歪が広帯域となるため、誤差増幅器１１の要求性能は厳しくなり、誤差増幅器１１で正確に増幅できない混変調歪成分が出力端Ａ２に現れてしまい、歪電力が増加してしまう。
【０００４】
一例として、地上波デジタル放送用の広帯域増幅器における最も厳しい仕様は、比帯域の面から、入力信号の周波数が４７０ＭＨｚ〜５１８ＭＨｚである４８ＭＨｚ帯域（１３ｃｈ〜２０ｃｈの８チャネルの帯域）の場合である。
図３には、フィードフォワード増幅器において１３ｃｈと１４ｃｈと２０ｃｈの３波を同時に増幅する時に出力される信号波形の一例として、歪補償前の波形と歪補償後の波形を示してある。このグラフでは、横軸は周波数を示しており、縦軸は信号のレベルを示している。また、横軸は、中心（Ｃｅｎｔｅｒ）が４９７．１ＭＨｚを示しており、間隔（Ｓｐａｎ）が１５０．０ＭＨｚに相当している。
【０００５】
この帯域内で４７０ＭＨｚ（１３ｃｈ）と５１８ＭＨｚ（２０ｃｈ）の２波が同時に入力されたときには、主増幅器２で発生する３次歪は、図３に示される波形の左右に位置する４２２ＭＨｚと５６６ＭＨｚに現れる。このとき、３次歪を補償する場合には、誤差増幅器１１に要求される帯域特性は、４８ＭＨｚの３倍に相当する１４４ＭＨｚの帯域に対応したものとなる。このため、主増幅器２と比べて３倍の比帯域幅が要求され、非常に厳しくなる。また、５次歪や７次歪などの高次歪まで考慮した場合には、帯域特性はさらに厳しい要求性能となる。
なお、広帯域増幅器の歪補償に関する公知例として、下記特許文献１（特開２００３−１１０３６９号公報）がある。
【０００６】
【特許文献１】特開２００３−１１０３６９号公報
【発明の開示】
【発明が解決しようとする課題】
【０００７】
上述のように、従来のフィードフォワード増幅器では、誤差増幅器１１により混変調歪を正確に増幅する必要があるが、歪の帯域をカバーする特性を実現することが困難であるといった問題があり、例えば、広帯域な入力信号が用いられるような場合に、誤差増幅器１１の帯域が混変調歪成分を含む帯域幅を有していないときには、その帯域外の歪補償が十分に作用しないといった不具合があった。
一例として、地上波デジタル放送の放送波は一般の通信波と比べて広帯域（帯域幅が４８ＭＨｚ）であるため、フィードフォワード歪補償方式で歪補償を行っても、帯域外に現れる混変調歪（例えば、３次歪、或いは５次歪や７次歪などの高次歪）を除去することは難しい。特に、最大８チャンネルを使用して、各チャンネルの帯域幅が６ＭＨｚであるような場合に、チャンネルが離れていると、このような歪の除去が非常に困難となる。
【０００８】
本発明は、このような従来の課題を解決するために為されたもので、例えば、地上波デジタル放送の広帯域信号などを増幅するに際して、誤差増幅器に要求される特性を緩和することができるフィードフォワード増幅器を提供することを目的とする。
【課題を解決するための手段】
【０００９】
上記目的を達成するため、本発明に係るフィードフォワード増幅器では、増幅対象となる信号を主増幅器で増幅して当該増幅信号から歪信号を検出する歪検出部と、前記検出された歪信号を誤差増幅器で増幅して当該増幅歪信号を前記増幅信号から除去する歪除去部を有した構成において、次のような構成とした。
すなわち、前記増幅対象となる信号の周波数帯域（或いは、それより広い周波数帯域）の信号成分を通過させて他の周波数帯域の信号成分を低減させる周波数特性を有するフィルタ手段を、前記主増幅器の次段に備えた。また、前記誤差増幅器として、前記フィルタ手段の通過周波数帯域に対応した周波数特性を有する増幅器を用いた。
従って、例えば、地上波デジタル放送の広帯域信号などを増幅するに際して、誤差増幅器に要求される特性を緩和することができ、歪補償の性能を向上させることができる。また、誤差増幅器の前段にフィルタ手段が備えられることから、誤差増幅器に入力される歪信号のレベル（例えば、電力）を低減させることができ、誤差増幅器にかかる負荷を低減させることができる。
【００１０】
ここで、増幅対象となる信号としては、種々な信号を用いることができる。
また、フィルタ手段の周波数特性としては、実用上で有効な程度で、種々な特性が用いられてもよい。
また、誤差増幅器としては、例えば、フィルタ手段の通過周波数帯域（増幅対象となる信号の周波数帯域、或いは、それより広い周波数帯域）に対応して、当該帯域の信号成分（主に、歪の成分）については線形に増幅することができるような増幅器が用いられる。つまり、誤差増幅器では、フィルタ手段の通過周波数帯域以外の帯域については、増幅が非線形になるなどのように増幅特性が良くなくともよく、比較的狭い帯域を有する増幅器を使用することが可能である。
【００１１】
なお、増幅対象となる信号が広帯域信号である場合には、例えば、その帯域の全てを包含する周波数帯域を、増幅対象となる信号の周波数帯域とみなすことができる。
また、増幅対象となる信号が、離散した周波数を有する２つ以上の信号成分から構成されるような場合には、例えば、最も低い周波数を有する信号成分の周波数から最も高い周波数を有する信号成分の周波数までを包含する周波数帯域を、増幅対象となる信号の周波数帯域とみなすことができる。
また、増幅対象となる信号として、異なる周波数を有する複数の信号成分の中から１つ以上の信号成分が切り替えられて組み合わされたものが用いられるような場合には、例えば、切り替えられる可能性があるこれら全ての信号成分の周波数を包含する周波数帯域を、増幅対象となる信号の周波数帯域とみなすことができる。
【００１２】
本発明に係るフィードフォワード増幅器では、増幅対象となる信号を主増幅器で増幅して当該増幅信号から歪信号を検出する歪検出部と、前記検出された歪信号を誤差増幅器で増幅して当該増幅歪信号を前記増幅信号から除去する歪除去部を有した構成において、次のような構成とした。
すなわち、前記増幅対象となる信号の周波数帯域（或いは、それより広い周波数帯域）の信号成分を通過させて他の周波数帯域の信号成分を低減させる周波数特性を有するフィルタ手段を、前記歪除去部の出力段に備えた。また、前記誤差増幅器として、前記フィルタ手段の通過周波数帯域に対応した周波数特性を有する増幅器を用いた。
従って、例えば、地上波デジタル放送の広帯域信号などを増幅するに際して、誤差増幅器に要求される特性を緩和することができ、歪補償の性能を向上させることができる。
【００１３】
本発明に係るフィードフォワード増幅器では、一構成例として、次のような構成とした。
すなわち、当該フィードフォワード増幅器は、地上波デジタル放送の通信装置に設けられる。
また、前記増幅対象となる信号として、地上波デジタル放送で使用される４７０ＭＨｚに対応した１３チャンネルから５１８ＭＨｚに対応した２０チャンネルまでの８チャンネルのうちの、２つ以上のチャンネルの信号を含む信号（複数チャンネル信号）が用いられる。
また、前記フィルタ手段は、４８（＝５１８−４７０）ＭＨｚ以上の所定の通過周波数帯域を有するフィルタから構成される。
従って、地上波デジタル放送の広帯域な複数チャンネル信号を通信する通信装置において、複数チャンネル信号をフィードフォワード増幅器の主増幅器で増幅するに際して、誤差増幅器に要求される特性を緩和することができ、歪補償の性能を向上させることができる。
【００１４】
ここで、２つ以上のチャンネルの信号を含む複数チャンネル信号としては、種々なチャンネルの組み合わせの信号が用いられてもよい。
また、地上波デジタル放送では、例えば、最大８チャンネルの中から任意の１つ以上のチャンネルが切り替えられて使用される場合がある。本例では、このような場合に対応して、増幅対象となる信号の周波数帯域を８チャンネル分の４７０ＭＨｚ〜５１８ＭＨｚの帯域とみなしており、この帯域幅である４８ＭＨｚの約１．５倍程度（約７２ＭＨｚ程度）の通過周波数帯域幅を有するフィルタ手段を用いている。このようなフィルタ手段の通過周波数帯域では、例えば、その中心周波数が８チャンネルの中心（例えば、４９４ＭＨｚ或いはその近く）であり、４５８ＭＨｚ〜５３０ＭＨｚ辺りの信号成分を通過させる特性を有する。
【発明の効果】
【００１５】
以上説明したように、本発明に係るフィードフォワード増幅器では、増幅対象となる信号を主増幅器で増幅して当該増幅信号から歪信号を検出する歪検出部と、前記検出された歪信号を誤差増幅器で増幅して当該増幅歪信号を前記増幅信号から除去する歪除去部を有した構成において、増幅対象となる信号の周波数帯域或いはそれより広い周波数帯域の信号成分を通過させて他の周波数帯域の信号成分を低減させる周波数特性を有するフィルタ機能を主増幅器の次段又は歪除去部の出力段に備え、誤差増幅器として当該フィルタ機能の通過周波数帯域に対応した周波数特性を有する増幅器を用いるようにしたため、例えば、地上波デジタル放送の広帯域信号などを増幅するに際して、誤差増幅器に要求される特性を緩和することができ、歪補償の性能を向上させることができる。
【発明を実施するための最良の形態】
【００１６】
本発明に係る一実施例を図面を参照して説明する。
図１には、本発明の一実施例に係るフィードフォワード増幅器の構成例を示してある。
本例のフィードフォワード増幅器は、入力端Ａ１と出力端Ａ２の間に、２分配器１と、例えば電力増幅器から成る主増幅器２と、帯域フィルタ２１と、遅延線（第１の遅延線）３と、可変移相器（第１の可変移相器）４と、可変減衰器（第１の可変減衰器）５と、結合器（第１の結合器）６と、合成器７と、遅延線（第２の遅延線）８と、可変移相器（第２の可変移相器）９と、可変減衰器（第２の可変減衰器）１０と、例えば電力増幅器から成る誤差増幅器１１と、結合器（第２の結合器）１２を備えている。また、本例のフィードフォワード増幅器は、それぞれの可変移相器４、９の位相変化量やそれぞれの可変減衰器５、１０の減衰量などを制御する制御部（図示せず）を備えている。
ここで、歪を抽出する処理部１〜７、２１により歪抽出系のループ（１ｓｔループ）が構成されており、歪を消去する処理部６〜１２により歪消去系のループ（２ｎｄループ）が構成されている。
【００１７】
本例のフィードフォワード増幅器の動作例を示す。
入力端Ａ１には、増幅対象となる信号（基本信号）が入力される。入力信号としては、例えば、広帯域な信号が用いられる。入力信号は、２分配器１に入力される。
２分配器１は、入力信号を２つの信号に分配し、一方の分配信号を主増幅器２へ出力し、他方の分配信号を第１の遅延線３へ出力する。
主増幅器２は、入力信号を増幅して、当該増幅信号を帯域フィルタ２１へ出力する。本例では、主増幅器２は、入力信号を定格電力まで電力増幅する非線形な電力増幅回路であり、その非線形性によって信号を増幅する際に混変調歪を発生する。
【００１８】
帯域フィルタ２１は、本例では、基本信号の帯域の成分のみを通過させる周波数特性を有する帯域通過フィルタから構成されており、主増幅器２から入力される増幅信号を第１の結合器６へ出力するに際して、当該増幅信号に含まれる基本信号の周波数帯域の成分のみを通過させて、当該増幅信号に含まれる他の周波数帯域（歪帯域）の成分を除去する。
なお、実際のフィルタでは、基本信号の帯域の成分のみを通過させて他の帯域の成分を除去する特性においても、例えば、その境界付近の帯域では当該他の帯域の成分は抑制されるがゼロとはならずに多少は残る。
【００１９】
第１の遅延線３は、前記他方の分配信号を遅延させて第１の可変移相器４へ出力する。
第１の可変移相器４は、可変な位相変化量で、入力信号の位相を変化させて、位相変化後の信号を第１の可変減衰器５へ出力する。
第１の可変減衰器５は、可変な減衰量で、入力信号を減衰させて（つまり、振幅を低減させて）、減衰後の信号を合成器７へ出力する。
第１の結合器６は、帯域フィルタ２１から入力される増幅信号を第２の遅延線８へ出力するに際して、当該増幅信号の一部を取得して合成器７へ出力する。
合成器７は、第１の結合器６から入力される増幅信号（歪の有る信号）と第１の可変減衰器５から入力される基本信号（歪の無い信号）とを合成して、当該合成信号を第２の可変移相器９へ出力する。本例では、この合成信号が主増幅器２で発生した混変調歪の成分を抽出したものとなるように、つまり合成器７で合成される２つの信号に含まれる基本信号の成分が同電力で逆位相となるように、第１の可変移相器４の位相変化量や第１の可変減衰器５の減衰量を制御して調整する。これにより、歪抽出系（１ｓｔループ）において歪が抽出される。
【００２０】
第２の遅延線８は、第１の結合器６からの増幅信号を遅延させて第２の結合器１２へ出力する。
第２の可変移相器９は、可変な位相変化量で、入力信号（ここでは、歪信号）の位相を変化させて、位相変化後の信号を第２の可変減衰器１０へ出力する。
第２の可変減衰器１０は、可変な減衰量で、入力信号を減衰させて（つまり、振幅を低減させて）、減衰後の信号を誤差増幅器１１へ出力する。
誤差増幅器１１は、入力信号を増幅して、当該増幅信号を第２の結合器１２へ出力する。
第２の結合器１２は、第２の遅延線８から入力される増幅信号（歪の有る信号）と誤差増幅器１１から入力される信号（歪の信号）とを結合（合成）して、当該結合信号を出力端Ａ２へ出力する。本例では、この結合信号が主増幅器２で発生した混変調歪の成分を消去（除去）した増幅信号となるように、つまり第２の結合器１２で結合される２つの信号に含まれる混変調歪の成分が同電力で逆位相となるように、第２の可変移相器９の位相変化量や第２の可変減衰器１０の減衰量を制御して調整する。これにより、歪消去系（２ｎｄループ）で歪が消去されて、歪補償が実現される。
【００２１】
このように、本例では、主増幅器２の出力側に帯域フィルタ２１を設けることで、歪帯域の混変調歪（つまり、基本信号の帯域以外の歪の信号）を低減させる。これにより、誤差増幅器１１に入力される信号（主電力）の周波数帯域が制限されて入力電力が低減し、誤差増幅器１１にかかる負荷を減らすことができる。
このため、例えば、誤差増幅器１１として、帯域フィルタ２１の通過帯域内の歪信号を増幅する周波数帯域特性を有する増幅器を使用することができる。このような構成では、増幅対象となる入力信号が広帯域である場合においても、誤差増幅器１１に求められる周波数帯域は帯域フィルタ２１の特性で決定されるため、例えば、従来と比べて、狭帯域として高い特性調整を実現することが可能となる。
【００２２】
具体的には、本例では、帯域フィルタ２１を設けることで、誤差増幅器１１の入力電力を減らすことができ、これにより、出力信号（歪補償後の増幅信号）に残存する歪を低減させることができる。また、本例では、帯域フィルタ２１を設けることで、誤差増幅器１１の入力帯域幅を狭めることができ、これにより、誤差増幅器１１の帯域内をフラットな特性に調整し易くすることができる。こうしたことから、フィードフォワード増幅器の歪補償量を向上させることや、誤差増幅器１１の要求性能を軽減させることが可能である。
なお、帯域フィルタ２１としては、主増幅器２からの大電力が通過するため、低損失な特性を有するものが好ましく、また、誤差増幅器１１へ通過する歪帯域を制限するために、フィルタ特性が急峻であるものが好ましい。これらの特性がフィードフォワード増幅器の全体の性能に大きく影響し得る。
また、本例では、帯域フィルタ２１の周波数特性として、基本信号の帯域の成分のみを通過させる周波数特性を用いたが、例えば、基本信号の帯域より広い帯域の成分を通過させて他の帯域の成分を抑制するような周波数特性を有する帯域フィルタを用いることもできる。
【００２３】
一例として、地上波デジタル放送のサテライト装置などにおいて、フィードフォワード歪補償方式により増幅器の歪補償を行うに際して、誤差増幅器１１の帯域外に現れる混変調歪（例えば、３次歪、或いは５次歪や７次歪などの高次歪）を帯域フィルタ２１により除去する。
地上波デジタル放送の１３ｃｈ〜２０ｃｈの広帯域増幅器に本例を適用した場合には、主増幅器２の出力波形では、混変調歪（図３の例では、１３ｃｈ、１４ｃｈ、２０ｃｈの信号以外の混変調歪）が発生する。１３ｃｈより低域の周波数成分と２０ｃｈより高域の周波数成分は、基本信号の成分が含まれない歪成分のみの帯域（歪帯域）となる。このような歪帯域の信号を帯域フィルタ２１により低減させる。具体的には、４８ＭＨｚ以上の広さの帯域、例えば７０ＭＨｚ（４８ＭＨｚの約１．５倍）の広さの帯域に対応した帯域フィルタ２１を主増幅器２の次段に配置する。
【００２４】
以上のように、本例のフィードフォワード増幅器では、主増幅器２の後段（本例では、次段）に帯域フィルタ２１を配置して、合成器７による合成の前に帯域外の歪を抑えることで合成後の歪電力を低減させ、これにより、出力端Ａ２における信号歪を低減させることができる。本例のフィードフォワード増幅器では、誤差増幅器１１の帯域外に発生する歪成分を帯域フィルタ２１により除去して、誤差増幅器１１によるその増幅を無くしたため、混変調歪成分を効率良く除去することができる。このように、回路構成を工夫して、帯域フィルタ２１を設けることで、出力信号の歪低減や、誤差増幅器１１の要求特性軽減が可能となる。
一例として、地上波デジタル放送で使用される広帯域増幅器の仕様のように、低周波数帯で広帯域であるような比帯域の厳しい条件においても、フィードフォワード増幅器により広帯域な歪補償を実現することができる。
【００２５】
ここで、本実施例では、好ましい構成として、主増幅器２の次段に帯域フィルタ２１を設けた構成としたが、他の構成例として、主増幅器２の出力端から誤差増幅器１１の入力端までの間の任意のところに帯域フィルタを設ける構成や、第２の結合器１２の後段（例えば、次段）に帯域フィルタを設ける構成などを実施することも可能である。
例えば、第２の結合器１２の次段に帯域フィルタを設けた構成では、図１に示される構成と比べて、帯域フィルタ２１が主増幅器２の次段には備えられておらず、帯域フィルタ２１が第２の結合器１２と出力端Ａ２との間に備えられ、主増幅器２から出力される増幅信号は第１の結合器６に入力され、第２の結合器１２から出力される信号（フィードフォワード歪補償方式による歪補償後の増幅信号）が帯域フィルタ２１に入力されて、フィルタリングにより歪帯域の混変調歪の成分が除去され、当該フィルタリング後の信号（全ての歪補償後の増幅信号）が出力端Ａ２へ出力される。
【００２６】
なお、本例のフィードフォワード増幅器では、歪抽出系（１ｓｔループ）に備えられた処理部により歪検出部が構成されており、歪消去系（２ｎｄループ）に備えられた処理部により歪除去部が構成されている。
また、本例のフィードフォワード増幅器では、帯域フィルタ２１の機能によりフィルタ手段が構成されている。
また、本例のフィードフォワード増幅器は、例えば、地上波デジタル放送の信号を通信するサテライトなどに設けられる通信装置に設けることが可能である。通信装置としては、例えば、無線通信を行う装置が用いられるが、有線通信を行う装置に適用することも可能である。
【００２７】
ここで、本発明に係るフィードフォワード増幅器などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係るフィードフォワード増幅器などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２８】
【図１】本発明の一実施例に係るフィードフォワード増幅器の構成例を示す図である。
【図２】フィードフォワード増幅器の構成例を示す図である。
【図３】フィードフォワード増幅器における３波同時増幅時の出力波形の一例を示す図である。
【符号の説明】
【００２９】
１・・２分配器、  ２・・主増幅器、  ３、８・・遅延線、  ４、９・・可変移相器、  ５、１０・・可変減衰器、  ６、１２・・結合器、  ７・・合成器、  １１・・誤差増幅器、  ２１・・帯域フィルタ、  Ａ１・・入力端、  Ａ２・・出力端、
【図１】
2006279249.tif 000003
【図２】
2006279249.tif 000004
【図３】
2006279249.tif 000005